(57)【特許請求の範囲】
【請求項１】
電話回線に主装置を介して接続されるボタン発信機能を有する電話機において、前記主装置から給電される通電時ボタン電話機構と、副電源から給電される停電時電話機構を備え、
前記それぞれの電話機構に、同一の操作部を操作することによって記憶手段に格納された特定の相手先を呼び出す呼出手段を設け、
前記停電時電話機構に、特定の相手先の電話番号を記憶する記憶手段と、ネットワーク回路と、前記主装置からの給電停止時に前記停電時電話機構に電力を供給する副電源とを備え、
前記電話機への前記主装置からの給電停止時に、前記通電時ボタン電話機構と共通の操作部を操作することによってあらかじめ設定された相手に発信する機能を有することを特徴とする電話機。
【請求項２】
特定の相手先の電話番号を記憶する記憶手段へ電話番号を設定する電話番号設定手段をそれぞれの電話機構に設け、停電時電話機構の電話番号設定手段を通常の電話操作では操作できないように設けた請求項１記載の電話機。
【請求項３】
電話回線に接続される主装置とボタン発信機能を有する電話機からなる電話装置において、
前記主装置に、特定の相手先の電話番号を記憶する記憶手段と、ボタン電話制御回路と、ネットワーク回路と、停電切替回路とを設け、
前記電話機に、前記主装置から給電される通電時ボタン電話機構と、副電源から給電される停電時電話機構を備え、
前記それぞれの電話機構に、同一の操作部を操作することによって記憶手段に格納された特定の相手先を呼び出す呼出手段を設け、
前記停電時電話機構に、特定の相手先の電話番号を記憶する記憶手段と、ネットワーク回路と、前記主装置からの給電停止時に前記停電時電話機構に電力を供給する副電源とを備え、
前記電話機への主装置からの給電停止時に、前記通電時ボタン電話機構と共通の操作部を操作することによってあらかじめ設定された相手に発信する機能を有することを特徴とする電話装置。
【請求項４】
特定の相手先の電話番号を記憶する記憶手段を、主装置と停電時電話機構にそれぞれ設け、それぞれの記憶装置に同一の相手先電話番号を格納するようにした請求項３記載の電話装置。
【請求項５】
停電切替回路が、通電時には通電時ボタン電話機構を選択し、主装置からの給電停止時には停電時電話機構を選択する回路である請求項３または請求項４記載の電話装置。
【請求項６】
特定の相手先の電話番号を記憶する記憶手段を有する電話回線に接続される主装置と、主装置から給電される通電時ボタン電話機構および副電源から給電される停電時電話機構を具備しこの停電時電話機構に特定の相手先の電話番号を記憶する記憶手段を設けるとともにそれぞれの電話機構に同一の操作部を操作することによって記憶手段に格納された特定の相手先を呼び出す呼出手段を設けた電話機とからなる電話装置における特定の相手先の電話番号を登録する特定電話番号登録方法において、
主装置からの給電時に通電時ボタン電話機構の設定用ボタンを操作することによって、主装置の記憶装置を書込動作状態に移行させ、
ダイヤルボタンによって特定の電話番号を登録し、
主装置からの給電停止時に停電時電話機構の設定用ボタンを操作することによって、停電時電話機構の記憶装置を書込動作状態に移行させ、
ダイヤルボタンによって特定の電話番号を登録することを特徴とする特定電話番号登録方法。
【発明の詳細な説明】
【０００１】
【発明の属する技術分野】
本発明は、電話装置技術に属し、ボタン発信機能を有する電話機および該電話機を有する電話装置に関する。
【０００２】
【従来の技術】
電話装置で、該装置の使い方がわからない場合や装置の調子が悪いときには、販売点等に電話をして説明受けたり不具合を見てもらう。このとき電話番号がわかれば良いが、電話番号がわからない場合には相手に連絡するまでに時間がかかってしまう。
また、電話装置が動作可能な状態であれば、該装置の短縮ダイヤルやワンタッチダイヤル等に番号を記憶させておき、問い合わせ時に発信することができるが、商用電力が停電したときのように主電源から電力が供給されない等動作不可能の場合には記憶させておいた短縮ダイヤルやワンタッチダイヤル等のボタン発信機能を利用することができない。
【０００３】
【発明が解決しようとする課題】
本発明は、上記問題に鑑みなされたもので、ボタン発信機能を有する電話機および該電話機を有する電話装置において、主装置からの給電停止時にもあらかじめ設定された相手にボタン発信できるようにすることを目的とする。
【０００４】
【課題を解決するための手段】
上記課題を解決するために、本発明は、電話回線に主装置を介して接続されるボタン発信機能を有する電話機において、該電話機への主装置からの給電停止時に、主装置から給電される通電時ボタン電話機構と共通の操作部を操作することによってあらかじめ設定された相手に発信できる機能を具備した。
【０００５】
さらに、本発明は、電話回線に主装置を介して接続されるボタン発信機能を有する電話機において、主装置から給電される通電時ボタン電話機構と、副電源から給電される停電時電話機構を備え、それぞれの電話機構に、同一の操作部を操作することによって記憶手段に格納された特定の相手先を呼び出す呼出手段を設け、停電時電話機構に、特定の相手先の電話番号を記憶する記憶手段と、ネットワーク回路と、主装置からの給電停止時に前記停電時電話機構に電力を供給する副電源とを備え、該電話機への主装置からの給電停止時に、通電時ボタン電話機構と共通の操作部を操作することによってあらかじめ設定された相手に発信する機能を具備した。
【０００６】
また、本発明は、特定の相手先の電話番号を記憶する記憶手段へ電話番号を設定する電話番号設定手段をそれぞれの電話機構に設け、停電時電話機構の電話番号設定手段を通常の電話操作では操作できないように設けた。
【０００７】
さらに、本発明は、電話回線に接続される主装置とボタン発信機能を有する電話機からなる電話装置に、該電話装置への主装置からの給電停止時に、主装置から給電される通電時ボタン電話機構と共通の操作部を操作することによってあらかじめ設定された相手に発信する機能を具備した。
【０００８】
また、本発明は、電話回線に接続される主装置とボタン発信機能を有する電話機からなる電話装置において、主装置に、特定の相手先の電話番号を記憶する記憶手段と、ボタン電話制御回路と、ネットワーク回路と、停電切替回路とを設け、電話機に、主装置から給電される通電時ボタン電話機構と、副電源から給電される停電時電話機構を備え、それぞれの電話機構に、同一の操作部を操作することによって記憶手段に格納された特定の相手先を呼び出す呼出手段を設け、停電時電話機構に、特定の相手先の電話番号を記憶する記憶手段と、ネットワーク回路と、前記主装置からの給電停止時に前記停電時電話機構に給電する副電源とを備え、前記電話機への主装置からの給電停止時に通電時ボタン電話機構と共通の操作部を操作することによってあらかじめ設定された相手に発信する機能を具備した。
【０００９】
上記電話装置において、特定の相手先の電話番号を記憶する記憶手段を、主装置と停電時電話機構にそれぞれ設け、それぞれの記憶装置に同一の相手先電話番号を格納するようにした。
また、停電切替回路が、主装置からの給電時には通電時ボタン電話機構を選択し、主装置からの給電停止時には停電時電話機構を選択する働きを有するものとした。
【００１０】
本発明は、電話回線に接続され特定の相手先の電話番号を記憶する記憶手段を有する主装置と、前記主装置から給電される通電時ボタン電話機構および副電源から給電される停電時電話機構を具備しこの停電時電話機構に特定の相手先の電話番号を記憶する記憶手段を設けるとともにそれぞれの電話機構に同一の操作部を操作することによって記憶手段に格納された特定の相手先を呼び出す呼出手段を設けた電話機とからなる電話装置における特定の相手先の電話番号を登録する特定電話番号登録方法において、主装置からの給電時に通電時ボタン電話機構の設定用ボタンを操作することによって、主装置の記憶装置を書込動作状態に移行させ、ダイヤルボタンによって特定の電話番号を登録し、主装置からの給電停止時に停電時電話機構の設定用ボタンを操作することによって、停電時電話機構の記憶装置を書込動作状態に移行させ、ダイヤルボタンによって特定の電話番号を登録するようにした。
【００１１】
【発明の実施の形態】
本発明にかかる電話装置の構成を図１に示す。本発明の電話装置は、局線２７に接続された主装置１と、電話機への主装置からの給電時にボタン発信機能を有する電話機１０と、電話機への主装置からの給電停止時にもボタン発信機能を有するヘルプ電話機１１から構成されている。
主装置１は、中央制御回路２と、ＲＯＭ３と、ＲＡＭ４と、電池５と、ネットワーク回路６と、スイッチ回路７と、ボタン電話制御回路８と、停電切替回路９と、交流直流変換手段（ＡＣ−ＤＣコンバータ）２８を有している。
ネットワーク回路６は、ダイヤル送出回路６１と、直流ループ回路６２を有している。
停電切替回路９は、ＡＣ−ＤＣコンバータ２８の出力で動作するリレーを有しており、通電中は、局線２７を主装置１のネットワーク回路６に接続し、主装置からの給電停止時には、局線２７をヘルプ電話機１１のネットワーク回路（ＰＦ）１２に接続する働きを有する。さらに前記リレーはＡＣ−ＤＣコンバータ２８の出力で動作するが中央制御回路２によって、オン／オフを制御することもできる。このことによって、停電復旧時のリレーの動作を適切にすることができる。
【００１２】
電話機１０は、通常のボタン電話機能を有し、制御回路と、データ伝送回路と、ＤＡ変換回路と、ダイヤルボタンと、短縮ダイヤルボタンおよびワンタッチダイヤルボタンと、ＲＡＭと、ＲＯＭなどを有している。電話機１０は、ダイヤルボタンまたは短縮ダイヤルボタンもしくはワンタッチダイヤルボタンを操作することによって、所定の相手に発信することができるボタン発信機能を有している。
【００１３】
ヘルプ電話機１１は、主装置からの給電停止時にもボタン発信できる停電時電話機構と主装置からの給電時のみボタン発信できる通電時ボタン電話機構とを有している。
ヘルプ電話機１１の停電時電話機構は、ネットワーク回路（ＰＦ）１２と、ダイヤルボタン（ＰＦ）１９と、短縮ダイヤルボタンまたはワンタッチダイヤルボタンなどのヘルプボタン（ＰＦ）２０と、特定の電話番号を設定する設定用ボタン（ＰＦ）２１と、特定の電話番号を格納するＲＡＭ（ＰＦ）２２と、ＲＯＭ（ＰＦ）２３と、電池（ＰＦ）２４とを有している。
ヘルプ電話機１１の通電時ボタン電話機構は、制御回路１３と、データ伝送回路１４と、ＤＡ変換回路１５と、ダイヤルボタン１６と、短縮ダイヤルボタンもしくはワンタッチダイヤルボタンなどのヘルプボタン１７と、設定用ボタン１８と、ＲＯＭ２５と、ＲＡＭ２６と、ＤＣ−ＤＣコンバータ３１などを有している。
停電時電話機構のネットワーク回路（ＰＦ）１２は、制御回路（ＰＦ）１２１と、ダイヤル送出回路（ＰＦ）１２２と、直流ループ回路（ＰＦ）１２３を有している。
【００１４】
主装置１の中央制御回路２は、例えばマイクロコンピュータなどで構成され、ＲＯＭ３に格納されたソフトウェアに従って、主装置からの給電中にスイッチ回路７を制御するなどの各種機能を達成するとともに、本発明にかかる主装置からの給電中の発信機能を達成する。
ＲＡＭ４は、中央制御回路２の演算結果などを一時的に格納するとともに、主装置からの給電中の相手先番号を格納する記憶手段として働く。電池５は、ＲＡＭ４が格納した電話番号を主装置からの給電停止中にも保持する。
ネットワーク回路６のダイヤル送出回路６１は、主装置からの給電中に中央制御回路の指示によりダイヤルを送出する機能を有する。ネットワーク回路６の直流ループ回路６２は、主装置からの給電中の通話時に局線に対して直流ループを閉成する機能を有する。
停電切替回路９は、中央制御回路２の制御または主装置からの給電状態によって、主装置からの給電中は局線２７とネットワーク回路６とを接続し、主装置からの給電停止中は局線２７とヘルプボタン電話機１１のネットワーク回路（ＰＦ）１２とを接続する。
【００１５】
ヘルプ電話機１１の通電時ボタン電話機構の制御回路１３は、例えばマイクロコンピュータなどで構成され、ＲＯＭ２５に格納されたソフトウェアに従って、主装置からの給電中にデータ伝送回路１４を制御してヘルプ電話機１１と主装置１の間のデータ伝送を行うとともに、各種機能を達成する。
ダイヤルボタン１６は、主装置からの給電中のダイヤル発信や主装置からの給電中に主装置１のＲＡＭ４に電話番号を記憶させるためのものである。ヘルプボタン１７は、主装置からの給電中にＲＡＭ４にあらかじめ記憶された電話番号に発信するため操作の機能ボタンであり、このボタンはハード的にキーを限定する場合とソフト的にキーを限定する場合とがある。
設定用ボタン１８は、主装置からの給電中にダイヤルボタン１６を使ってＲＡＭ４に電話番号を記憶させるために、記憶状態に移行させるボタンであり、１つの固定したボタンまたは複数のボタン操作の組み合わせで構成される。
【００１６】
ヘルプ電話機１１の停電時電話機構の制御回路（ＰＦ）１２１は、主装置からの給電停止中にダイヤル送出回路（ＰＦ）１２２の制御など各種機能を達成するとともに、本発明にかかる主装置からの給電停止中のボタン発信機能を達成する。ダイヤル送出回路（ＰＦ）１２２は、主装置からの給電停止中に制御回路（ＰＦ）１２１の指示によってダイヤルを送出する。直流ループ回路（ＰＦ）１２３は、主装置からの給電停止中の通話時に局線に対して直流ループを閉成する。
ダイヤルボタン（ＰＦ）１９は、主装置からの給電停止中のダイヤル発信や主装置からの給電停止中にヘルプ電話機１１のＲＡＭ（ＰＦ）２２に電話番号を記憶させるものである。ヘルプボタン（ＰＦ）２０は、主装置からの給電停止中にＲＡＭ（ＰＦ）２２にあらかじめ記憶された電話番号に発信するため操作の機能ボタンであり、このボタンはハード的にキーを限定する場合とソフト的にキーを限定する場合とがある。
【００１７】
ダイヤルボタン１６とダイヤルボタン（ＰＦ）１９、および、ヘルプボタン１７とヘルプボタン（ＰＦ）２０は、それぞれ外見上は一つの操作部として構成されているが、該操作部によって操作されるスイッチは、それぞれ独立して構成され、操作部を操作することによって、主装置からの給電中のスイッチと主装置からの給電停止中のスイッチとを同時に操作させることができる。
【００１８】
設定用ボタン（ＰＦ）２１は、主装置からの給電停止中にダイヤルボタン（ＰＦ）１９を使ってＲＡＭ（ＰＦ）２２に電話番号を記憶させるために、記憶状態に移行させるボタンであり、１つの固定したボタンまたは複数のボタン操作の組み合わせで構成される。この設定用ボタン（ＰＦ）２１は、通常は電話利用者には隠されており、主装置からの給電停止時の電話番号を記憶させる場合にのみ操作し、通常の状態では操作できないようになっている。
電池（ＰＦ）２４は、主装置からの給電停止中に常にＲＡＭ（ＰＦ）２２に記憶された電話番号を保持する副電源として働く。この電池は、一次電池であってもよいしＤＣ−ＤＣコンバータ３１からの電源で充電される二次電池であってもよい。
【００１９】
ダイヤルボタン１６とダイヤルボタン（ＰＦ）１９は、操作部分は共通のボタンで構成されていて、ダイヤル操作を行う場合は、主装置からの給電中と主装置からの給電停止中は同じボタンで操作できる。
ヘルプボタン１７とヘルプボタン（ＰＦ）２０は、操作部分は共通のボタンで構成されていて、主装置からの給電中に制御回路１３への信号を送るスイッチと、主装置からの給電停止中に制御回路（ＰＦ）１２１への信号を送るスイッチとを同時に操作させることができ、主装置からの給電中にＲＡＭ４に記憶された電話番号を選択して発信する場合と主装置からの給電停止中にＲＡＭ（ＰＦ）２１に記憶された電話番号を選択して発信する場合は同じボタンで操作できる。
【００２０】
【実施例】
図２を用いて、本発明にかかる特定電話番号への発信処理を説明する。
特定電話番号へ発信する場合は、ヘルプ電話機１１のヘルプボタン１７を操作する（Ｓ１）。ヘルプボタン１７とヘルプボタン（ＰＦ）１９は操作部分は共通となっており同時にヘルプボタン（ＰＦ）１９も操作される。
主装置から給電中の場合（Ｓ２）には、主装置１の停電切替回路９は、局線２７を主装置１のネットワーク回路６へ接続しており、制御回路１３，データ伝送回路１４等を経由した情報が主装置１の央制御回路２で認識されることによって直流ループ回路６２を制御して局線が捕捉される（Ｓ３）。主装置１の中央制御回路２は、ダイヤル送出回路６１を制御して、ＲＡＭ４に記憶されている電話番号に発信する（Ｓ４）。相手が応答したら通話を行う（Ｓ５）。以上によって、通常のボタン電話発信が行われる。
【００２１】
一方、主装置からの給電停止中の場合（Ｓ２）には、主装置１の停電切替回路９は、局線２７をヘルプ電話機１１のネットワーク回路（ＰＦ）１２へ接続しており、ヘルプボタンを押し下げた情報がヘルプ電話機１１の制御回路（ＰＦ）１２１で認識されることによって直流ループ回路（ＰＦ）１２３を制御して局線を捕捉する（Ｓ６）。制御回路（ＰＦ）１２１は、ダイヤル送出回路（ＰＦ）１２２を制御して、ＲＡＭ（ＰＦ）２２に記憶されている電話番号に発信する（Ｓ７）。相手が応答したら通話を行う（Ｓ５）。以上によって、主装置からの給電停止時にも特定電話番号に対してボタン電話発信することができる。
【００２２】
図３を用いて、本発明にかかる特定電話番号の記憶処理を説明する。主装置からの給電中の場合（Ｓ１０）は、ヘルプ電話機１１の設定用ボタン１８を操作することによって、制御回路１３，データ伝送回路１４等を経由して情報が主装置１の中央制御回路２に認識される。中央制御回路２は、設定用ボタン１８を認識することによって電話番号を記憶する状態に移行する（Ｓ１１）。この状態でダイヤルボタン１６で記憶する番号をダイヤルすると電話番号がＲＡＭ４に記憶される（Ｓ１２）。再度設定用ボタン１８を操作することによって通常の状態に戻り（Ｓ１３）、通常の状態ではＲＡＭ４の内容を変更することはできない。
【００２３】
一方、主装置からの給電停止中の場合（Ｓ１０）は、ヘルプ電話機１１の設定用ボタン（ＰＦ）２１を操作することによって、ヘルプ電話機１１の制御回路（ＰＦ）１２１に認識される。制御回路（ＰＦ）１２１は、設定用ボタン（ＰＦ）２１を認識することによって電話番号を記憶する状態に移行する（Ｓ１４）。この状態でダイヤルボタン（ＰＦ）１９で記憶する番号をダイヤルするとＲＡＭ（ＰＦ）２２に記憶される（Ｓ１５）。再度設定用ボタン（ＰＦ）２１を操作することによって通常の状態に戻り（Ｓ１６）、通常の状態ではＲＡＭ（ＰＦ）２２の内容を変更することはできない。
【００２４】
ヘルプ電話機１１のネットワーク回路（ＰＦ）１２および制御回路（ＰＦ）１２１は、主装置からの給電中および主装置からの給電停止中で以下のように給電される。すなわち、ネットワーク回路（ＰＦ）１２の直流ループ回路（ＰＦ）１２３およびダイヤル送出回路（ＰＦ）１２２は、主装置からの給電停止時に、主装置１の停電切替回路９の働きで局線２７に接続されることによって局給電される。制御回路（ＰＦ）１２１は、主装置からの給電停止時に電池（ＰＦ）２４によって給電される。
主装置から給電中には、ＲＡＭ（ＰＦ）２２とＲＯＭ（ＰＦ）２３と制御回路（ＰＦ）１２１は、電池（ＰＦ）２４によって給電されるが、ＲＡＭ（ＰＦ）２２の登録データのバックアップとして働いている。さらに、主装置から給電中は、ネットワーク回路（ＰＦ）１２は動作しない。
主装置からの給電停止時には、オンフック中は、電池（ＰＦ）２４によって給電され主装置からの給電停止時の登録機能を有効とする。オフフック時は、局給電とされ、発信機能が有効となる。
【００２５】
以上の例では、特定電話番号を修理個所のような相手を想定して説明したが、特定電話番号は、この例に限られることなく、主装置からの給電停止時でも発信することが必要な警察や消防署などの緊急電話先とすることもできる。
また、本発明では、主装置からの給電停止時には、ヘルプ電話機１１は局電源によって動作する独立した電話機として機能することができるので、主装置からの給電停止時でも送受信することが可能となる。
さらに、主電源としては、商用電源または自家発電や蓄電池装置などの局部電源を用いることができる。
【００２６】
【発明の効果】
以上のように、本発明では主装置からの給電停止中や電話装置が故障の場合でも主装置からの給電中や装置動作中と同じ操作で電話をかけることができ、使い方が解らない場合や装置が故障中の復旧を早めることができる。
さらに、本発明では、主装置からの給電停止時には、ヘルプ電話機１１は局電源によって動作する独立した電話機として機能するので、主装置からの給電停止時でも送受信することが可能となる。
【図面の簡単な説明】
【図１】本発明にかかる発信機能を備えた電話装置の構成を示すブロック図。
【図２】本発明にかかる発信機能の処理を示すフローチャート。
【図３】本発明にかかる発信電話番号登録処理を示すフローチャート。
【符号の説明】
１  主装置
２  中央制御回路
３  ＲＯＭ
４  ＲＡＭ
５  電池
６  ネットワーク回路
６１  ダイヤル送出回路
６２  直流ループ回路
７  スイッチ回路
８  ボタン電話制御回路
９  停電切替回路
１０  電話機
１１  ヘルプ電話機
１２  ネットワーク回路（ＰＦ）
１２１  制御回路（ＰＦ）
１２２  ダイヤル送出回路（ＰＦ）
１２３  直流ループ回路（ＰＦ）
１３  制御回路
１４  データ伝送回路
１５  ＤＡ変換回路
１６  ダイヤルボタン
１７  ヘルプボタン
１８  設定用ボタン
１９  ダイヤルボタン（ＰＦ）
２０  ヘルプボタン（ＰＦ）
２１  設定用ボタン（ＰＦ）
２２  ＲＡＭ（ＰＦ）
２３  ＲＯＭ（ＰＦ）
２４  電池（ＰＦ）
２５  ＲＯＭ
２６  ＲＡＭ
２７  局線
２８  ＡＣ−ＤＣコンバータ
２９  スピーカ
３０  送受器
３１  ＤＣ−ＤＣコンバータ
【図１】
0003730699.tif 000002
【図２】
0003730699.tif 000003
【図３】
0003730699.tif 000004